(57)【要約】【課題】  メッセージ構成データの入力前に利用者がメッセージ形式を指定することなく、利用者が入力したメッセージ構成データに合ったメッセージ形式でメッセージを送信できる移動体通信端末を提供する。【解決手段】  移動体通信端末（携帯電話機）１０は、メッセージ入力部１１０とメッセージ通信部１１１とメッセージ形式選択部１１５と制御部１１４とを備える。メッセージ形式選択部１１５は、複数種類のメッセージ形式から、メッセージ入力部１１０で入力されたメッセージ構成データに合ったメッセージ形式を選択する。制御部１１４は、メッセージ入力部１１０で入力されたメッセージ構成データを用いて、メッセージ形式選択部１１５で選択したメッセージ形式になるように送信メッセージデータを作成し、その送信メッセージデータを送信するようにメッセージ通信部１１１を制御する。【選択図】  図９
2006121350.tif 000002
【特許請求の範囲】
【請求項１】
通信ネットワークを介して複数種類のメッセージ形式のメッセージを送信可能な移動体通信端末であって、
送信対象のメッセージを構成するメッセージ構成データを入力するためのメッセージデータ入力手段と、
該複数種類のメッセージ形式の送信メッセージデータを、該通信ネットワークを介して送信可能なメッセージ通信手段と、
該複数種類のメッセージ形式から、該メッセージデータ入力手段で入力されたメッセージ構成データに合ったメッセージ形式を選択するメッセージ形式選択手段と、
該メッセージデータ入力手段で入力されたメッセージ構成データを用いて、該メッセージ形式選択手段で選択したメッセージ形式になるように送信メッセージデータを作成し、該送信メッセージデータを送信するように該メッセージ通信手段を制御する制御手段とを備えたことを特徴とする移動体通信端末。
【請求項２】
請求項１の移動体通信端末において、
メッセージ形式の情報を通知するメッセージ形式通知手段を備え、
上記制御手段は、上記メッセージ通信手段による送信メッセージデータの送信に先だって、上記メッセージ形式選択手段で選択されたメッセージ形式の情報を通知するように、該メッセージ形式通知手段を制御することを特徴とする移動体通信端末。
【請求項３】
請求項１又は２の移動体通信端末において、
上記送信対象のメッセージのメッセージ形式を指定するメッセージ形式指定手段を備え、
上記制御手段は、上記メッセージ形式選択手段で選択されたメッセージ形式を無視し、該メッセージ形式指定手段で指定されたメッセージ形式になるように上記送信メッセージデータを作成することを特徴とする移動体通信端末。
【発明の詳細な説明】
【技術分野】
【０００１】
本発明は、通信ネットワークを介して複数種類のメッセージ形式のメッセージを送信可能な携帯電話機等の移動体通信端末に関するものである。
【背景技術】
【０００２】
従来、この種の移動体通信端末として、移動体通信ネットワーク等の通信ネットワークを介して、他の移動体通信端末との間でメッセージを送受信可能な携帯電話機などの移動体通信端末が知られている。当初、移動体通信ネットワークにおける伝送能力が悪かったため、上記移動体通信端末間で送受信されるメッセージの種類は、所定サイズ以下のテキストデータに限られていた。その後、移動体通信ネットワークにおける伝送能力の向上により、テキストのデータサイズが拡張されたメッセージや、静止画像等のデータが添付されたメッセージも送受信できるようになってきている。特に最近では、データ伝送速度が高速の移動体通信システムを用いて、テキスト、グラフィック、ビデオ、オーディオ等の複数のメディアタイプのデータをマルチメディアメッセージ（ＭＭ）として送受信可能なマルチメディアメッセージングサービス（ＭＭＳ）が提供されるようになってきている（例えば、非特許文献１及び特許文献１参照）。
【０００３】
【非特許文献１】Multimedia Messaging Service Architecture Overview Version 1.2 (OMA-MMS-ARCH-v1_2-20030920-C)
【特許文献１】特開２００２−２８１５５０号公報
【発明の開示】
【発明が解決しようとする課題】
【０００４】
上記従来の複数種類のメッセージ形式のメッセージを送信可能な移動体通信端末では、まず利用者によってメッセージ形式の種類が指定された後、送信対象のメッセージを構成するテキストデータ等のメッセージ構成データが入力される。そして、この移動体通信端末では、入力されたメッセージ構成データを用いて、上記予め指定したメッセージ形式になるように送信メッセージデータが作成され、メッセージ送信が行われる。
ところが、上記メッセージ構成データの入力を開始した後に、そのメッセージ構成データが上記予め指定したメッセージ形式に合わなくなってしまう場合がある。例えば、テキストデータのみからなるショートメッセージ用のメッセージ形式を指定してメッセージ構成データを入力し始めたが、そのメッセージ構成データの入力の途中で、上記ＭＭＳメッセージのように静止画像や動画等のファイルを添付したくなる場合がある。このような添付ファイルを含むメッセージ構成データは、上記ショートメッセージ用のメッセージ形式に合わない。逆に、静止画像等のファイルを添付可能な上記ＭＭＳメッセージ等のメッセージ形式を指定してメッセージ構成データを入力し始めたが、そのメッセージ構成データの入力の途中で、ファイル添付無しの短いテキストデータのみからなるメッセージ構成データにしたくなる場合がある。このファイル添付無しの短いテキストデータからなるメッセージ構成データについては、上記ショートメッセージ用のメッセージ形式で十分であり、上記ファイル添付可能なＭＭＳメッセージ等のメッセージ形式で送信しなくてもよい。
このように予め指定したメッセージ形式に合わないメッセージ構成データを入力したくなったとしても、従来の移動体通信端末では、メッセージ構成データ入力開始後にメッセージ形式を変更することができない。上記予め指定したメッセージ形式に合わないメッセージ構成データを入力したくなったときは、メッセージ形式を変更した後、上記メッセージ構成データを最初から入力し直す必要があり、不便であった。
【０００５】
本発明は以上の問題点に鑑みなされたものであり、その目的は、メッセージ構成データの入力前に利用者がメッセージ形式を指定することなく、利用者が入力したメッセージ構成データに合ったメッセージ形式でメッセージを送信できる移動体通信端末を提供することである。
【課題を解決するための手段】
【０００６】
上記目的を達成するために、請求項１の発明は、通信ネットワークを介して複数種類のメッセージ形式のメッセージを送信可能な移動体通信端末であって、送信対象のメッセージを構成するメッセージ構成データを入力するためのメッセージデータ入力手段と、該複数種類のメッセージ形式の送信メッセージデータを、該通信ネットワークを介して送信可能なメッセージ通信手段と、該複数種類のメッセージ形式から、該メッセージデータ入力手段で入力されたメッセージ構成データに合ったメッセージ形式を選択するメッセージ形式選択手段と、該メッセージデータ入力手段で入力されたメッセージ構成データを用いて、該メッセージ形式選択手段で選択したメッセージ形式になるように送信メッセージデータを作成し、該送信メッセージデータを送信するように該メッセージ通信手段を制御する制御手段とを備えたことを特徴とするものである。
また、請求項２の発明は、請求項１の移動体通信端末において、メッセージ形式の情報を通知するメッセージ形式通知手段を備え、上記制御手段は、上記メッセージ通信手段による送信メッセージデータの送信に先だって、上記メッセージ形式選択手段で選択されたメッセージ形式の情報を通知するように、該メッセージ形式通知手段を制御することを特徴とするものである。
また、請求項３の発明は、請求項１又は２の移動体通信端末において、上記送信対象のメッセージのメッセージ形式を指定するメッセージ形式指定手段を備え、上記制御手段は、上記メッセージ形式選択手段で選択されたメッセージ形式を無視し、該メッセージ形式指定手段で指定されたメッセージ形式になるように上記送信メッセージデータを作成することを特徴とするものである。
【０００７】
ここで、上記移動体通信端末におけるメッセージ形式選択手段は、例えば、上記メッセージ構成データのデータサイズに基づいて上記メッセージ形式を選択するように構成する。また例えば、上記メッセージ形式選択手段は、上記メッセージ構成データの添付ファイルの有無に基づいて上記メッセージ形式を選択するように構成する。
【０００８】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）の端末、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記「メッセージ形式」は、送信可能なデータサイズやファイル添付の可否などのメッセージの形式を規定するものであり、送信フォーマットと呼ぶ場合もある。各メッセージ形式のメッセージの送受信には、各メッセージに適した通信プロトコルが使用される。このメッセージ形式の種類としては、移動体通信ネットワーク内で送受信可能なデータサイズに制限が設けられたＳＭＳ（Short Message Service）の形式、各移動体通信事業者で運用されているＳＭＳよりもデータサイズが大きい移動体通信用メールの形式、ＩＭＴ−２０００に準拠した高速の移動体通信ネットワークに好適なＭＭＳ（Multimedia Messaging System）の形式、インターネット上で送受信可能な電子メール等の形式がある。
また、上記移動体通信端末における制御や情報処理は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００９】
本発明によれば、送信対象のメッセージを構成するメッセージ構成データを利用者がメッセージデータ入力手段で入力すると、メッセージ形式選択手段により、入力されたメッセージ構成データに合ったメッセージ形式が複数種類のメッセージ形式から選択される。この選択されたメッセージ形式になるように、上記メッセージデータ入力手段で入力されたメッセージ構成データを用いて送信メッセージデータが作成され、この送信メッセージデータがメッセージ通信手段で送信される。このようにメッセージ構成データを利用者が入力した後、そのメッセージ構成データに合ったメッセージ形式を複数のメッセージ形式から自動選択してメッセージを送信することができる。従って、メッセージ構成データの入力前に利用者がメッセージ形式を指定することなく、利用者が入力したメッセージ構成データに合ったメッセージ形式でメッセージを送信できるという効果がある。
【発明を実施するための最良の形態】
【００１０】
以下、図面を参照して本発明の実施の形態について説明する。
図１は本実施形態に係る通信システム全体の概略構成の一例を示す説明図である。この通信システムは、移動体通信端末としての携帯電話機１０Ａ，１０Ｂと、通信ネットワークとしての携帯電話通信網２０とを用いて構成されている。携帯電話通信網２０は、基地局２１と、パケット交換網２０１を含むコアネットワークと、ＩＰ（Internet Protocol）ネットワーク２０２と、ＳＭＳＣ（Short Message Service Center）２９とを備えている。なお、本実施形態における携帯電話通信網２０には、ＭＭＳ（Multimedia Messaging Service）に好適な高速データ通信が可能なＷ−ＣＤＭＡ（Wideband Code Division Multiple Access）等のＩＭＴ−２０００に準拠した通信方式で通信可能な無線通信網が構築されている。
【００１１】
上記基地局２１は、管轄対象のセルごとに設けられ、携帯電話通信網２０内の有線回線からのデータを無線インタフェースに合うデータフォーマットに変換し、管轄対象のセル内にある携帯電話機１０Ａ，１０Ｂに無線周波数で送信する。逆に無線周波数で送信される携帯電話機１０Ａ，１０Ｂからのデータを受信して有線インタフェースに合うデータフォーマットに変換し、携帯電話通信網２０内の有線回線部分に転送する。
【００１２】
上記コアネットワークは、図示しない位置登録データベース（ＨＬＲ，ＶＬＲ）、加入者データベース、課金システム等を有し、各携帯電話機間の通信等を中継するように通信制御を行う。更に、コアネットワークは、各携帯電話機と、携帯電話通信網２０内の構成要素との間における通信を中継するように通信制御を行う。また、コアネットワークは、各携帯電話機と他の通信ネットワークとの間における通信を中継するように通信制御を行う。
【００１３】
また、上記コアネットワークは、回線交換網のほかパケット交換網２０１を有している。このパケット交換網２０１は、ＳＧＳＮ（Serving GPRS Support Node）２２やＧＧＳＮ（Gateway GPRS Support Node）２３等のノードを有している。ＳＧＳＮ２４は、基地局２１が接続されている図示しない無線ネットワークコントローラとコアネットワーク２０１側のパケット交換網との間のゲートウェイ機能と、各携帯電話機１０Ａ，１０Ｂの位置管理、セキュリティ管理及びアクセス制御を行う機能とを有している。また、ＧＧＳＮ２３は、コアネットワーク２０１側のパケット交換網と、ＩＰネットワーク２０２との間のゲートウェイ機能を有している。
【００１４】
また、上記コアネットワークの回線交換網には、後述のＳＭＳＣ２９のほか、携帯電話機間で送受信されるメッセージとしての回線交換網用のメールを管理する回線交換網用メールサーバ２１０が接続されている。この回線交換網用メールサーバ２１０はゲートウェイサーバ２１１を介してインターネット３０に接続され、携帯電話機とインターネット等の他の通信ネットワーク上の通信端末との間で、上記回線交換網用のメールを送受信できるようになっている。
また、上記コアネットワークのパケット交換網２０１には、携帯電話機間で送受信されるメッセージとしてのパケット交換網用のメールを管理するパケット交換網用メールサーバ２２０が接続されている。このパケット交換網用メールサーバ２２０はゲートウェイサーバ２２１を介してインターネット３０に接続され、携帯電話機とインターネット等の他の通信ネットワーク上の通信端末との間で、上記パケット交換網用のメールを送受信できるようになっている。
【００１５】
上記ＩＰネットワーク２０２は、プロキシサーバ２４、ＭＭＳＣ（Multimedia Messaging Service Center）２５、ゲートウェイサーバ２６、ＰＰＧ（Push Proxy Gateway）サーバ２７、その他図示しないＷＥＢサーバ等を有している。
【００１６】
上記プロキシサーバ２４は、各携帯電話機１０Ａ，１０Ｂと、ＩＰネットワーク２０２内のサーバやインターネット上のサーバとの間の通信を中継する処理を行う。このプロキシサーバ２４は、コアネットワーク２０１における通信プロトコルとＩＰネットワーク２０２やインターネット３０等の他の通信ネットワークにおける通信プロトコルが異なる場合に、両通信プロトコルを合わせるためのプロトコル変換機能も有している。
なお、このＩＰネットワーク２０２の中に、ＷＥＢサーバや、コンテンツをダウンロードするためのダウンロードサーバを設けてもよい。
【００１７】
上記ＭＭＳＣ２５は、図示しないメッセージボックスが接続され、次のようなマルチメディアメッセージ（以下「ＭＭＳメッセージ」という。）の処理を行う。例えば、ＭＭＳＣ２５は、送信側の携帯電話機１０Ａから送信されたＭＭＳメッセージを受信すると、そのＭＭＳメッセージをメッセージボックスに一旦保存し、ＰＰＧサーバ２７やＳＭＳＣ２９等を介して受信側の携帯電話機１０ＢにＭＭＳメッセージの着信通知を送信する。そして、ＭＭＳＣ２５は、受信側の携帯電話機１０Ｂからメッセージ取得要求を受けると、必要に応じて所定のフォーマット変換を行い、受信側の携帯電話機１０Ｂに送信する。また、ＭＭＳＣ２５は、インターネット３０から携帯電話機１０Ａ，１０Ｂ宛のＭＭＳメッセージを受信したときも着信通知を行った後、必要に応じて所定のフォーマット変換を行い、受信側の携帯電話機１０ＢへＭＭＳメッセージを送信する。
【００１８】
上記ゲートウェイサーバ２６は、携帯電話通信網２０のＩＰネットワーク２０２とインターネット３０との間のゲートウェイ機能とファイヤウォール機能とを有している。
上記ＰＰＧサーバ２７は、ＭＭＳＣ２５から受信したプッシュリクエストに基づいて、上記着信通知等のプッシュ型のメッセージをＳＭＳＣ２９を経由して携帯電話機１０Ａ，１０Ｂに送信する。
【００１９】
上記ＳＭＳＣ２９は、ショートメッセージサービス（ＳＭＳ）を提供するものであり、サイズ制限（例えば１２８バイト）のあるショートメッセージを送信側の携帯電話機１０Ａから受信し、受信側の携帯電話機１０Ｂに送信する。また、ＳＭＳＣ２９は、放送形式で複数の携帯電話機にへ一斉にショートメッセージを送信することもできる。これらのＳＭＳのメッセージの送受信には、ＳＭＳ用の通信プロトコルが使用される。
【００２０】
上記携帯電話通信網２０のＩＰネットワーク２０２を介して接続されているインターネット３０には、各種コンテンツ提供用のサーバや、電子メール用のメールサーバ６０が接続されている。このコンテンツ提供用のサーバとしては、ＷＥＢページのコンテンツを主に提供するＷＥＢサーバ４０や、画像ファイル、音楽ファイル、アプリケーションのプログラムファイルなどのコンテンツを主に提供するダウンロードサーバ５０等がある。また、上記メールサーバ６０としては、ＳＭＴＰサーバ、ＰＯＰサーバ、ＩＭＡＰサーバ等がある。
【００２１】
上記インターネット３０上の各種コンテンツ提供サーバから携帯電話機１０Ａ，１０Ｂにコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００２２】
図２は、ＭＭＳ（Multimedia Messaging Service）を提供する上記ＭＭＳＣ２５を介して携帯電話機１０Ａ，１０Ｂ間で送受信されるＭＭＳメッセージの説明図である。このＭＭＳメッセージは、ＲＦＣ（Request for Comments）８２２，２８２２，２０４５，２０４６，２０４７，２０４９等で仕様が規定されているＭＩＭＥ（Multipurpose Internet Mail Extension）対応のインターネットテキストフォーマットのメッセージである。このＭＭＳメッセージは、メッセージ本文６０とヘッダー６１とにより構成されている。ＭＭＳメッセージのメッセージ本文６０は、テキスト情報のほか、音声、イメージ、ビデオ、オーディオなどの様々なメディアによる情報のデータを含めるように構成することができる。また、ＭＭＳメッセージのヘッダー６１は、送信側の携帯電話機などの通信端末において送信メッセージに関する様々な情報のデータが入力される各種フィールドで構成されている。
【００２３】
なお、上記ＭＭＳ、ＭＭＳＣ、ＭＭＳメッセージ等は、次の（１）〜（３）等に規定されている仕様に準拠するものである。
（１）Multimedia Messaging Service Architecture Overview Version 1.2 (OMA-MMS-ARCH-v1_2-20030920-C)
（２）Multimedia Messaging Service Client Transactions Version 1.2 (OMA- MMS-CTR-v1_2-20030916-C)
（３）Multimedia Messaging Service Encapsulation Protocol Version 1.2 (OMA-MMS-ENC-v1_2-20030915-C)
【００２４】
上記ＭＩＭＥ情報のフィールドは、ＲＦＣ２０４５，２０４６，２０４７，２０４９等で規定されているＭＩＭＥの仕様に準拠したメッセージ本文６０の解釈処理に用いる解釈処理用フィールド（拡張ヘッダーフィールド）である。以下、このＭＩＭＥ情報のフィールドを「ＭＩＭＥヘッダーフィールド」といい、このＭＩＭＥヘッダーフィールドが設定されているヘッダー部分を「ＭＩＭＥヘッダー」という。
【００２５】
上記メッセージ本文６０を解釈処理するときに用いる解釈方法は、上記ＭＩＭＥヘッダーに設定されている「Content-Type:」のデータと「Content-Transfer-Encoding:」のデータとの組み合わせにより複数設定可能である。携帯電話機１０Ａ，１０Ｂは、携帯電話通信網２０を介して受信したＭＭＳメッセージのＭＩＭＥヘッダーフィールドのデータに応じて複数種類の解釈方法から選択された解釈方法を用いて、受信メッセージのメッセージ本文６０を解釈処理する。
【００２６】
上記各メッセージを送受信するときには、ネットワークの各階層において所定の通信プロトコルが用いられる。例えばアプリケーション層の通信プロトコルとしては、各メッセージに種類に応じて、上記ＨＴＴＰやＷＳＰのほか、ＳＭＳ用のプロトコルや、インターネット上の電子メールでも用いられているＳＭＴＰ（Simple Mail Transfer Protocol）、ＰＯＰ３（Post Office Protocol 3）、ＩＭＡＰ４（Internet Message Access Protocol 4）等が用いられる。
【００２７】
図３は携帯電話機１０（１０Ａ、１０Ｂ）の一構成例を示す外観図であり、図４は、その携帯電話機１０のハードウェア構成を示す概略構成図である。また、図５は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、ＧＰＳ受信装置１０７を備えている。ＣＰＵ１０１やＲＡＭ１０２等の構成要素は、システムバス１００を介して、互いに各種データやプログラムの命令等のやり取りを行っている。
【００２８】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上でＭＭＳメッセージの送受信を行ったり、受信したＭＭＳメッセージに含まれるテキストや画像（静止画、動画）コンテンツや音声や音楽等のオーディオコンテンツを出力したりしてもよい。
【００２９】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００３０】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、ＭＭＳメッセージ等の各種メッセージを送受信したり、ＭＭＳメッセージ等に添付されている画像ファイルを展開して表示したり、音楽ファイルを展開して再生したり、アプリケーションプログラムを選択して実行したりすることができる。また、利用者は上記操作部を操作することにより、コンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。
【００３１】
上記出力装置１０５は、表示手段である液晶ディスプレイ（ＬＣＤ）１７、スピーカ１８、図示しない振動デバイス等から構成されている。上記液晶ディスプレイ（ＬＣＤ）１７やスピーカ１８等からなる出力装置で構成されている出力部は、携帯電話通信網２０からＭＭＳメッセージ等の各種メッセージやその着信通知を受信した旨を利用者に知らせたり、ＭＭＳメッセージ等のテキストや画像（静止画、動画）を液晶ディスプレイ（ＬＣＤ）１７に表示したり、ＭＭＳメッセージ等に添付の音声や音楽をスピーカ１８から出力したりするときに用いられる。上記ＭＭＳメッセージ等やその着信通知の受信を利用者に知らせるときは、出力部の液晶ディスプレイ（ＬＣＤ）１７に着信報知画像を表示したり、スピーカ１８から着信音を出力させたりする。
また、上記出力部は、携帯電話通信網２０を介して受信したＷｅｂページを液晶ディスプレイ（ＬＣＤ）１７に表示したり、携帯電話通信網２０から情報を着信した旨を利用者に知らせたりするときにも用いられる。また、上記出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００３２】
上記出力装置１０５を構成する振動デバイスは、この振動デバイスは、マナーモード（サイレントモード）設定時などに音声電話を着信したりＭＭＳメッセージや各種配信情報を受信したりしたときに、携帯電話機１０の全体を振動させ、その着信等を利用者に知らせるように制御することができる。
【００３３】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とＭＭＳメッセージ等の各種メッセージのやり取りを行ったり、携帯電話通信網２０からゲートウェイサーバを介して、インターネット等の外部の通信ネットワークに接続し、インターネット上の通信端末との電子メールやＭＭＳメッセージのやり取り等を行ったりするための通信手段として用いられる。更に、この携帯電話通信網用通信装置１０６は、携帯電話通信網２０を介して、ダウンロードサーバ５０が提供するアプリケーションプログラムをダウンロードしたり、現在位置の位置情報を含む配信情報を受信したりする情報受信手段としても用いられる。
【００３４】
図６は、本実施形態に係る携帯電話機１０（１０Ａ，１０Ｂ）の主要な機能を抽出して示した機能ブロック図である。この携帯電話機１０は、メッセージ入力部１１０とメッセージ通信部１１１とメッセージ記憶部１１２とメッセージ出力部１１３と制御部１１４とメッセージ形式選択部１１５とを備えている。
【００３５】
上記メッセージ入力部１１０は上記入力装置１０４等で構成され、ＭＭＳメッセージ等の各種メッセージに関するデータを利用者が入力するためのメッセージデータ入力手段として機能する。すなわち、このメッセージ入力部１１０は、利用者がＭＭＳメッセージ等のメッセージを作成するためのメニューを選択したり、ＭＭＳメッセージ等のテキストを入力したりするときに用いることができる。更に、このメッセージ入力部１１０は、ＭＭＳメッセージ等に添付する静止画、動画、音声、音楽、プログラムなどのファイルを指定するときに用いることもできる。
また、このメッセージ入力部１１０は、上記送信対象のメッセージのメッセージ形式を指定するメッセージ形式指定手段としても機能する。
【００３６】
上記メッセージ記憶部１１２は上記ＲＡＭ１０２やＲＯＭ１０３等の記憶装置で構成され、上記メッセージ入力部１１０で入力された送信対象のメッセージを構成するメッセージ構成データを記憶するメッセージ記憶手段として機能する。すなわち、このメッセージ記憶部１１２は、１件のメッセージごとに、利用者がメッセージ入力部１１０を使って入力したメッセージ構成データとしてのテキストデータ、添付ファイルのデータ等を記憶する。
【００３７】
上記メッセージ通信部１１１は上記携帯電話通信網用通信装置１０６等で構成され、上記携帯電話通信網２０上に構築されたＭＭＳＣ２５、ＳＭＳＣ２９、回線交換網用メールサーバ２１０、パケット交換網用メールサーバ２２０等と通信したり、インターネット３０上のメールサーバ６０と通信したりするためのメッセージ通信手段として機能する。すなわち、このメッセージ通信部１１１は、ＨＴＴＰ等の所定の通信プロトコルを用いてＭＭＳＣ２５等と通信することにより、他の携帯電話機との間でＭＭＳメッセージ等の各種メッセージを送受信したり、インターネット３０上の通信端末との間でＭＭＳメッセージを送受信したりする。
【００３８】
上記メッセージ出力部１１３は上記出力装置１０５等で構成され、メッセージ解釈処理部１１２で解釈処理されたメッセージ本文のデータをテキストや画像（静止画、動画）コンテンツとしてディスプレイ上に表示したり、音声や音楽等のオーディオコンテンツとしてスピーカやイヤホンから出力するメッセージ出力手段としての機能を有する。
また、このメッセージ出力部１１３は、送信対象のメッセージのメッセージ形式の情報を利用者に通知するメッセージ形式通知手段や、ＭＭＳメッセージ等の各種メッセージの着信を通知する着信通知手段としても機能する。
【００３９】
上記メッセージ形式選択部１１５は上記ＣＰＵ１０１等で構成され、メッセージの複数種類のメッセージ形式から、メッセージ入力部１１０で入力されたメッセージ構成データに合ったメッセージ形式を選択するメッセージ形式選択手段として機能する。すなわち、このメッセージ形式選択部１１５は、上記メッセージ通信部１１１で送受信可能な複数種類のメッセージ形式から、メッセージ入力部１１０で入力されたメッセージ構成データのデータサイズ、データフォーマットの種類、添付ファイルの有無等に基づいて、そのメッセージ構成データに合ったメッセージ形式を選択する。上記複数種類のメッセージ形式としては、ＭＭＳメッセージ形式、ＳＭＳメッセージ形式、回線交換網用メールの形式、パケット交換網用メールの形式、インターネットの電子メールの形式等がある。
【００４０】
例えば、上記メッセージ形式選択部１１５は、メッセージ入力部１１０で入力されたメッセージ構成データがファイル添付のないサイズが小さいテキストデータの場合は、ＳＭＳのメッセージ形式を自動的に選択する。また、上記入力されたメッセージ構成データが画像などのファイル添付があるデータの場合は、ＭＭＳのメッセージ形式を自動的に選択する。
【００４１】
上記制御部１１４は上記ＣＰＵ１０１等で構成され、上記メッセージ入力部１１０で入力されたメッセージ構成データを用いて、上記メッセージ形式選択部１１５で選択したメッセージ形式になるように送信メッセージデータを作成し、その送信メッセージデータを送信するようにメッセージ通信部１１１を制御する制御手段として機能する。
【００４２】
図７は、上記構成の通信システムにおいて携帯電話機１０Ａ、１０Ｂ間でＭＭＳメッセージを送受信するときの処理手順の一例を示すシーケンス図である。このメッセージ送受信処理では、メッセージの着信通知を受けた携帯電話機１０Ｂにおいて利用者が手動でメッセージの受信を行っている。
まず、送信側の利用者は、携帯電話機１０Ａを操作してＭＭＳメッセージ用のアプリケーションを起動し、ＭＭＳメッセージを作成する。そして、送信相手先のアドレスを指定して上記ＭＭＳメッセージを送信するように利用者が携帯電話機１０Ａを操作すると、携帯電話機１０Ａは、「ＨＴＴＰ  ＰＯＳＴ」によるメッセージ送信要求をＭＭＳＣ２５に送信する（ステップＳ１）。
ＭＭＳＣ２５は、上記メッセージ送信要求に対して「ＨＴＴＰ  ２００  ＯＫ」によるメッセージ送信応答を送信側の携帯電話機１０Ａに送信する（ステップＳ２）。その後、ＭＭＳＣ２５は、「ＳＭＳ」によるメッセージ着信通知をＰＰＧサーバ２７を経由して受信側の携帯電話機１０Ｂに送信する（ステップＳ３，Ｓ４）。
次に、受信側の携帯電話機１０Ｂは、上記メッセージ着信通知をＭＭＳＣ２５から受信すると、着信通知用に予め設定しておいたテキストや画像等を出力部のディスプレイ１７に表示したり、着信通知用に予め設定しておいた音声、特殊音、メロディー、音楽等を出力部のスピーカ１８から出力したりする。例えば、「新着メッセージがサーバに格納された」等の着信通知メッセージをディスプレイに表示する。このようなディプレイ上の着信通知表示やスピーカーからの着信通知音の出力により、受信側の携帯電話機１０Ｂの利用者は、自分宛のＭＭＳメッセージが届いていることを知ることができる。その着信通知の後、受信側の利用者は、任意のタイミングで、ＭＭＳメッセージを受信するように携帯電話機１０Ｂを操作することができる。
次に、受信側の携帯電話機１０Ｂは、上記メッセージ着信通知に対して、「ＨＴＴＰ  ＰＯＳＴ」によるメッセージ着信通知応答をＭＭＳＣ２５に送信する（ステップＳ５）。
ＭＭＳＣ２５は、上記メッセージ着信通知応答を受信した後、「ＳＭＳ」によるメッセージ配信完了通知をＰＰＧサーバ２７を経由して送信側の携帯電話機１０Ａに送信する（ステップＳ６，Ｓ７）。このメッセージ配信完了通知のヘッダーには、ＭＭＳ用フィールドの一つである「X-Mms-Status:Deffered」が記述され、このヘッダーフィールドのデータを参照することにより、送信側の携帯電話機１０Ａは、メッセージ着信通知が受信側の携帯電話機１０Ｂに配信され、ＭＭＳメッセージの受信待ちの状態になっていることを認識することができる。
【００４３】
次に、受信側の利用者が上記着信通知を受けたＭＭＳメッセージを受信するときは、上記ＭＭＳメッセージ用のアプリケーション上で当該ＭＭＳメッセージを指定して受信処理を開始するように携帯電話機１０Ｂを操作する。この操作により、受信側の携帯電話機１０Ｂは、「ＨＴＴＰ  ＧＥＴ」によるメッセージ受信要求をＭＭＳＣ２５に送信する（ステップＳ８）。
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ９）。このメッセージ受信応答には、ＭＭＳＣ２５のメッセージボックスから読み出された受信対象のＭＭＳメッセージのメッセージ本文とそのメッセージ本文に対応するヘッダーが付加される。
次に、受信側の携帯電話機１０Ｂは、上記メッセージ受信応答に対して「ＨＴＴＰ  ２００  ＯＫ」による受信完了通知をＭＭＳＣ２５に送信する（ステップＳ１０）。更に、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージを出力する。
ＭＭＳＣ２５は、上記受信完了通知を受信した後、「ＳＭＳ」によるメッセージ配信完了通知をＰＰＧサーバ２７を経由して受信側の携帯電話機１０Ｂに送信する（ステップＳ１１，Ｓ１２）。このメッセージ配信完了通知のヘッダーには、ＭＭＳ用フィールドの一つである「X-Mms-Status:Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００４４】
図８は、上記構成の通信システムにおいて携帯電話機１０Ａ、１０Ｂ間でＭＭＳメッセージを送受信するときの他の処理手順の一例を示すシーケンス図である。このメッセージ送受信処理では、メッセージの着信通知を受けた携帯電話機１０Ｂにおいて自動でメッセージの受信を行っている。なお、図８中のステップＳ１〜Ｓ４については上記図７の場合と同様であるので、説明を省略する。
受信側の携帯電話機１０Ｂは、上記メッセージ着信通知をＭＭＳＣ２５から受信すると、次にようにＭＭＳメッセージの受信処理を自動的に開始する。まず、携帯電話機１０Ｂは、上記メッセージ着信通知に対して、「ＨＴＴＰ  ＧＥＴ」によるメッセージ受信要求をＭＭＳＣ２５に送信する（ステップＳ５）。
ＭＭＳＣ２５は、上記メッセージ受信要求に対して「ＨＴＴＰ  ２００  ＯＫ」によるメッセージ受信応答を受信側の携帯電話機１０Ｂに送信する（ステップＳ６）。このメッセージ受信応答には、ＭＭＳＣ２５のメッセージボックスから読み出された受信対象のＭＭＳメッセージのメッセージ本文とそのメッセージ本文に対応するヘッダーが付加される。
次に、受信側の携帯電話機１０Ｂは、上記メッセージ受信応答に対して「ＨＴＴＰ  ２００  ＯＫ」による受信完了通知をＭＭＳＣ２５に送信する（ステップＳ７）。更に、受信側の携帯電話機１０Ｂは、受信したＭＭＳメッセージのＭＩＭＥヘッダーの情報に基づいてメッセージ本文について後述の解釈処理を行った後、解釈処理後のＭＭＳメッセージを出力する。
ＭＭＳＣ２５は、上記受信完了通知を受信した後、「ＳＭＳ」によるメッセージ配信完了通知をＰＰＧサーバ２７を経由して受信側の携帯電話機１０Ｂに送信する（ステップＳ８，Ｓ９）。このメッセージ配信完了通知のヘッダーには、ＭＭＳ用フィールドの一つである「X-Mms-Status:Retrieved」が記述され、このヘッダーフィールドのデータを参照することにより、送信側の携帯電話機１０Ａは、ＭＭＳメッセージが受信側の携帯電話機１０Ｂに配信されたことを認識することができる。
【００４５】
図９は、送信側の携帯電話機１０Ａで入力したメッセージ構成データに基づいて自動選択したメッセージ形式でメッセージを送信するときの処理手順の一例を示すフローチャートである。
まず、利用者が携帯電話機１０Ａのメッセージ入力部１１０を操作してＭＭＳメッセージ用のアプリケーションを起動する（ステップS101）。このアプリケーション上で利用者が所定の入力操作を繰り返し行うことにより、携帯電話機１０Ａは、利用者が指定する送信先について、利用者が入力したメッセージ構成データをメッセージ記憶部１１２に保存する（ステップS102）。
次に、携帯電話機１０Ａは、ＭＭＳやＳＭＳ等の複数のメッセージ形式から、上記メッセージ記憶部１１２に記憶されているメッセージ構成データのサイズ、フォーマットの種類、添付ファイルの有無などに基づいて、そのメッセージ構成データに合ったメッセージ形式を自動選択する（ステップS103）。
次に、携帯電話機１０Ａは、上記メッセージ記憶部１１２に記憶されているメッセージ構成データを用いて、上記自動選択したメッセージ形式になるように送信メッセージデータを作成し、その送信メッセージデータを送信する（ステップS104，S105）。
次に、携帯電話機１０Ａは、上記メッセージ送信が完了した後、その送信結果を通知する（ステップS106）。例えば、一括送信完了通知のメッセージをディプレイ１７に表示したり、一括送信が完了した旨を知らせる音声や特殊音をスピーカ１８から出力する。
以上のように、図９の例では、メッセージ構成データを利用者が入力した後、そのメッセージ構成データに合ったメッセージ形式を複数のメッセージ形式から自動選択してメッセージを送信することができる。従って、メッセージ構成データの入力前に利用者がメッセージ形式を指定することなく、利用者が入力したメッセージ構成データのサイズ、ファイル添付の有無等に応じて、そのメッセージ構成データに合ったメッセージ形式でメッセージを送信できる。
【００４６】
図１０は、送信側の携帯電話機１０Ａで入力したメッセージ構成データに基づいて自動選択したメッセージ形式を利用者に通知する場合の処理手順の一例を示すフローチャートである。
この図１０の例では、利用者が入力したメッセージ構成データに合ったメッセージ形式を自動選択した後（ステップS101〜S103）、その自動選択されたメッセージ形式を利用者に通知する（ステップS104）。例えば、自動選択されたメッセージ形式の情報をディプレイ１７に表示する。そして、利用者がメッセージ形式の情報を確認した後、利用者はキー操作部を操作してメッセージ送信を指示する。携帯電話機１０Ａは、利用者によるメッセージ送信指示を受け付けると（ステップS105）、図９の例と同様に、上記メッセージ記憶部１１２に記憶されているメッセージ構成データを用いて、上記自動選択したメッセージ形式になるように送信メッセージデータを作成し、その送信メッセージデータを送信する（ステップS106，S107）。
この図１０の例の場合は、メッセージ送信の前に、自動選択されたメッセージ形式を利用者が確認できる。
【００４７】
図１１は、送信側の携帯電話機１０Ａで入力したメッセージ構成データに基づいて自動選択したメッセージ形式を利用者が変更できるようにした場合の処理手順の一例を示すフローチャートである。
この図１１の例では、利用者が入力したメッセージ構成データに合ったメッセージ形式を自動選択した後（ステップS101〜S103）、その自動選択されたメッセージ形式を利用者に通知する（ステップS104）。例えば、自動選択されたメッセージ形式の情報をディプレイ１７に表示する。このメッセージ形式の情報を確認した後、利用者は必要に応じてキー操作部を操作しメッセージ形式の変更を指示する。
ここで、利用者がメッセージ変更を指示しなかった場合は、図９の例と同様に、上記メッセージ記憶部１１２に記憶されているメッセージ構成データを用いて、上記自動選択したメッセージ形式になるように送信メッセージデータを作成し、その送信メッセージデータを送信する（ステップS105〜S108）。
一方、利用者がメッセージ変更を指示した場合は、上記メッセージ記憶部１１２に記憶されているメッセージ構成データを用いて、上記自動選択したメッセージ形式を無視し、利用者が変更した後のメッセージ形式になるように送信メッセージデータを作成し、その送信メッセージデータを送信する（ステップS105，S109，S107，S108）。
この図１１の例の場合は、メッセージ送信の前に、自動選択されたメッセージ形式を利用者が確認した後、必要に応じてメッセージ形式を変更することができる。
【００４８】
以上、本実施形態によれば、送信対象のメッセージを構成するメッセージ構成データの入力前に利用者がメッセージ形式を指定することなく、利用者が入力したメッセージ構成データのサイズ、ファイル添付の有無等に応じて、そのメッセージ構成データに合ったメッセージ形式でメッセージを送信できる。
【００４９】
なお、上記実施形態ではＭＭＳメッセージ等の複数種類のメッセージ形式のメッセージを送受信可能な携帯電話機の場合について説明したが、本発明は、複数種類のメッセージ形式のメッセージを送受信可能なものであれば携帯電話機以外の他の移動体通信端末の場合についても同様に適用することができる。
【図面の簡単な説明】
【００５０】
【図１】本発明の実施形態に係る通信システム全体の概略構成の一例を示す説明図。
【図２】ＭＭＳメッセージの説明図。
【図３】携帯電話機の一構成例を示す外観図。
【図４】携帯電話機のハードウェア構成を示す概略構成図。
【図５】携帯電話機におけるソフトウェア構造の説明図。
【図６】携帯電話機の主要な機能を抽出して示した機能ブロック図。
【図７】携帯電話機間でＭＭＳメッセージを送受信するときの処理手順の一例を示すシーケンス図。
【図８】携帯電話機間でＭＭＳメッセージを送受信するときの他の処理手順の一例を示すシーケンス図。
【図９】携帯電話機で入力したメッセージ構成データに基づいて自動選択したメッセージ形式でメッセージを送信するときの処理手順の一例を示すフローチャート。
【図１０】携帯電話機で入力したメッセージ構成データに基づいて自動選択したメッセージ形式を利用者に通知する場合の処理手順の一例を示すフローチャート。
【図１１】携帯電話機で入力したメッセージ構成データに基づいて自動選択したメッセージ形式を利用者が変更できるようにした場合の処理手順の一例を示すフローチャート。
【符号の説明】
【００５１】
１０    携帯電話機
１０Ａ  送信側の携帯電話機
１０Ｂ  受信側の携帯電話機
２０    携帯電話通信網
２５    ＭＭＳＣ（マルチメディアメッセージングサービスセンター）
２７    ＰＰＧ（プッシュプロキシゲートウェイ）サーバ
２９    ＳＭＳＣ（ショートメッセージサービスセンター）
１１０  メッセージ入力部
１１１  メッセージ通信部
１１２  メッセージ記憶部
１１３  メッセージ出力部
１１４  制御部
１１５  メッセージ形式選択部
２１０  回線交換網用メールサーバ
２２０  パケット交換網用メールサーバ
【図１】
2006121350.tif 000003
【図２】
2006121350.tif 000004
【図３】
2006121350.tif 000005
【図４】
2006121350.tif 000006
【図５】
2006121350.tif 000007
【図６】
2006121350.tif 000008
【図７】
2006121350.tif 000009
【図８】
2006121350.tif 000010
【図９】
2006121350.tif 000011
【図１０】
2006121350.tif 000012
【図１１】
2006121350.tif 000013